(57)【特許請求の範囲】
【請求項１】
範囲の指定や文字などの情報を入力するための入力手段と、
表示された地図上で同入力手段により指定された範囲を、印刷された地図帖のページと同じ大きさに区分することで、複数のページに分割し、同ページの互いに隣接する境界の識別のためのページ枠を作成するページ枠作成手段と、
前記ページを複数のメッシュに分割し同メッシュの互いに隣接する境界の識別のためのメッシュ枠を作成するメッシュ枠作成手段と、
前記ページ枠と前記メッシュ枠とを特定するためのアドレスを設定するアドレス情報設定手段と、
画面の所定の場所に前記アドレスを表示するための標題部とを備え、
前記ページ枠や前記メッシュ枠に分割された地図データを画面に表示するとともに、前記標題部に前記アドレスが表示可能な縮小、拡大およびスクロール自在な地図表示装置であって、
前記ページ枠作成手段で作成する前記ページ枠、前記メッシュ枠作成手段で作成する前記メッシュ枠、前記アドレス情報設定手段で設定する前記アドレス、および前記入力手段から入力する前記ページ枠と前記メッシュ枠とを特定するための場所名などの付加情報をレイヤとして作成するレイヤ作成手段と、
同レイヤを地図画面に合成して表示するためのレイヤ表示制御手段とを設け、
前記レイヤ作成手段で作成した前記ページ枠、前記メッシュ枠、前記アドレスおよび前記付加情報を、前記レイヤ表示制御手段で前記地図画面に重ねて表示するようにしたことを特徴とする地図表示装置。
【請求項２】
前記ページ枠作成手段は、印刷された地図帖に対応する表示専用の任意の大きさで、かつ異なる範囲を分割した複数のページ枠が作成可能であるとともに、いずれかを選択表示可能とすることを特徴とする請求項１記載の地図表示装置。
【請求項３】
前記レイヤは、前記ページ枠、前記メッシュ枠、前記アドレスおよび前記付加情報からなり、前記レイヤ表示制御手段により、それぞれ個別に表示可能であるとともに、同レイヤは、それぞれ表示のオンオフを選択可能であることを特徴とする請求項１または２記載の地図表示装置。
【請求項４】
前記ページ枠、前記メッシュ枠、前記アドレスおよび前記付加情報のいずれかを、マウスなどのポインティングデバイスで選択し指示することで、前記ページ枠および前記メッシュ枠のいずれかで特定される前記ページまたは前記メッシュ部分の地図が、画面全体に表示されることを特徴とする請求項１ないし３のいずれか１項に記載の地図表示装置。
【請求項５】
前記ページ枠、前記メッシュ枠、前記アドレスおよび前記付加情報のいずれかを、マウスなどのポインティングデバイスで選択し指示することで、前記ページ枠および前記メッシュ枠のいずれかで特定される前記ページまたは前記メッシュ部分の地図が、前記ページ枠、前記メッシュ枠、前記アドレスおよび前記付加情報とともにプリンタなどの出力装置に出力可能とすることを特徴とする請求項１ないし４のいずれか１項に記載の地図表示装置。
【発明の詳細な説明】
【０００１】
【発明の属する技術分野】
本発明は、地図表示装置に係わり、特に地図画面にページ枠およびメッシュ枠などの情報を作成し合成表示する手段を有する地図表示装置に関する。
【０００２】
【従来の技術】
印刷された地図帖などにはページあるいはメッシュなどの概念が一般的で、例えばページには地域名が標記されており、画面の端部には座標が表示されており、ページ内で全体の配置を意識しながら直感的に目標物を探すことができた。
一方、地図表示装置では、ディスプレイの画面に表示された地図画面内の必要な箇所を見つけるために、マウスなどの入力装置により画面を縮小、拡大、あるいはスクロールさせ、地図に記載された地名や建造物名などから目標を探していた。このような電子化されたデータに基づく地図表示装置では複数の地図帖に対応する冊やページや表示のためのメッシュという概念がなかったり、あっても画面に表示されることはなかった。
このような地図表示装置を緊急を要する消防や救急などの分野で使用するような場合、画面を縮小、拡大、あるいはスクロールさせて目的地を含む地域を探し出すことは、時間がかかり扱いにくという問題があった。特に、目標を特定するには、地図に記載された地名やシンボルなどから識別、判断するしかなく、縮小する場合には細部の情報が不足し、拡大すると全体の位置関係がわかりにくく、左右上下にスクロールさせて探す必要があり、混乱を生じ易かった。
【０００３】
この問題を解決するために、地図をページやメッシュなどの階層構造に分割し、画面上部に標題部を設け、そこに表示中のページ番号やメッシュ番号などのアドレスや拡大率を表示する図４に示すような方法が提案された。図４（ａ）は従来の住宅地図を表示する例であり、上部の標題部に左から順番に地図の名称、冊、ページ、メッシュのそれぞれのアドレスおよび拡大率を表示させたものであり、（ｂ）は同住宅地図を横にスクロールさせた図である。このようにページ番号やメッシュ番号を表示する方法で、現在表示中のアドレスはわかるように改善されたが、地図をスクロールさせ、ぺージやメッシュが移動したり、それぞれの境界をまたがって複数のぺージやメッシュを表示する場合、標題に表示したアドレスが正確にどの場所を示しているのかわかりずらく、かつ、目標物と標題部とを常に比較参照する必要があり、目標物を見失いやすく、視認性にも欠けるという問題があった。また、地図を縮小したり拡大した場合に拡大率もわかりずらかった。
また、特定した地域の地図をプリンタやファックスなどの出力機器に出力する場合、マウスなどで特定地域を選択し、一旦プリンタに出力し、必要な情報を書き加えてコピーしたり、ＦＡＸするなどの手間がかかり、操作性が悪いという問題もあった。
特に、例えば消防や救急などの特定の分野では、それぞれの地域の管理方法に添って場所の特定がしやすく、持参している印刷された複数の地図帖との対比が可能な、視認性や操作性のよい地図表示装置が望まれていた。
【０００４】
【発明が解決しようとする課題】
以上説明した問題点に鑑み、本発明は、所有している地図帖などに対応して地図の所定の範囲を表示専用のページやメッシュなどの階層構造に自由に分割設定可能とするとともに、目標を探す場合に場所の特定や拡大率の判断がしやすく、視認性や操作性のよい地図表示装置を提供することを目的とする。
【０００５】
【課題を解決するための手段】
本発明は上述の課題を解決するため、範囲の指定や文字などの情報を入力するための入力手段と、表示された地図上で同入力手段により指定された範囲を、印刷された地図帖のページと同じ大きさに区分することで、複数のページに分割し、同ページの互いに隣接する境界の識別のためのページ枠を作成するページ枠作成手段と、前記ページを複数のメッシュに分割し同メッシュの互いに隣接する境界の識別のためのメッシュ枠を作成するメッシュ枠作成手段と、前記ページ枠と前記メッシュ枠とを特定するためのアドレスを設定するアドレス情報設定手段と、
画面の所定の場所に前記アドレスを表示するための標題部とを備え、前記ページ枠や前記メッシュ枠に分割された地図データを画面に表示するとともに、前記標題部に前記アドレスが表示可能な縮小、拡大およびスクロール自在な地図表示装置であって、前記ページ枠作成手段で作成する前記ページ枠、前記メッシュ枠作成手段で作成する前記メッシュ枠、前記アドレス情報設定手段で設定する前記アドレス、および前記入力手段から入力する前記ページ枠と前記メッシュ枠とを特定するための場所名などの付加情報をレイヤとして作成するレイヤ作成手段と、同レイヤを地図画面に合成して表示するためのレイヤ表示制御手段とを設け、前記レイヤ作成手段で作成した前記ページ枠、前記メッシュ枠、前記アドレスおよび前記付加情報を、前記レイヤ表示制御手段で前記地図画面に重ねて表示する。
【０００６】
また、前記ページ枠作成手段は、印刷された地図帖に対応する表示専用の任意の大きさで、かつ異なる範囲を分割した複数のページ枠が作成可能であるとともに、いずれかを選択表示可能とする。
【０００７】
また、前記レイヤは、前記ページ枠、前記メッシュ枠、前記アドレスおよび前記付加情報からなり、前記レイヤ表示制御手段により、それぞれ個別に表示可能であるとともに、同レイヤは、それぞれ表示のオンオフを選択可能である。
【０００９】
また、前記ページ枠、前記メッシュ枠、前記アドレスおよび前記付加情報のいずれかを、マウスなどのポインティングデバイスで選択し指示することで、前記ページ枠および前記メッシュ枠のいずれかで特定される前記ページまたは前記メッシュ部分の地図を、画面全体に表示する。
【００１０】
また、前記ページ枠、前記メッシュ枠、前記アドレスおよび前記付加情報のいずれかを、マウスなどのポインティングデバイスで選択し指示することで、前記ページ枠および前記メッシュ枠のいずれかで特定される前記ページまたは前記メッシュ部分の地図が、前記ページ枠、前記メッシュ枠、前記アドレスおよび前記付加情報とともにプリンタなどの出力装置に出力可能とする。
【００１４】
【発明の実施の形態】
図１は本発明よる地図表示装置の実施例の要部ブロック図である。図１に基づいて説明する。
キーボードやマウスなどの入力装置１からの指令により、制御部２はＣＤ−ＲＯＭやＤＶＤなどの外部記憶装置３に記憶された地図データを、メモリで構成される記憶部４に読込む。読込んだ地図データは描画部５で表示用のデータに展開し、表示制御部６を介しＣＲＴなどのディスプレイで構成する表示部７で表示する。制御部２にはプリンタやＦＡＸなどの出力装置８が接続されており、地図情報は入力装置１からの指令により必要に応じて出力される。さらに制御部２には通信制御部９が接続されており、地図情報を遠隔地に送信したり、外部から救急患者の受け入れ状況などの病院情報や、風向きや風速などの気象情報を入手することができる。
【００１５】
地図データには既に所定の大きさに分割されたメッシュを有するものもあるが、本発明よる地図表示装置では、それらのメッシュとは異なり、入力手段１により指定された地図上の範囲を、ページ枠作成手段１０で表示専用に任意の大きさの複数のページに分割し、各ページの互いに隣接する境界の識別のための枠を作成する。ページ枠は複数の地図帖にそれぞれ対応して参照可能なように、ページの集合である冊として、大きさや範囲の異なる複数のページ枠を設定可能としている。ページ枠はメッシュ枠作成手段１１でさらに複数のメッシュに細かく分割し、各メッシュの互いに隣接する境界の識別のためのメッシュ枠を生成する。これらページ枠、メッシュ枠の作成時に、アドレス情報設定手段１２で、作成されたページ枠やメッシュ枠を特定し、識別するためのアドレスなどのアドレス情報を設定する。作成したページ枠、メッシュ枠、アドレス情報などはそれぞれページ枠データ、メッシュ枠データおよびアドレス情報データとして記憶されるとともに、レイヤ作成手段１４に転送され、レイヤ作成手段１４で表示するためのレイヤ１３を作成する。レイヤ作成手段１４では、ページ枠を表示するためのページ枠レイヤ、メッシュ枠を表示するためのメッシュ枠レイヤ、アドレスを表示するためのアドレスレイヤを作成する。また、レイヤ作成手段１４では、入力装置１から入力されるページ枠やメッシュ枠で特定される場所を明確に識別するための地域名、管理区名、主要建造物の名称などを含む文字情報や消火栓、緊急水利、病院などを特定するシンボルなどの付加情報を設定可能とし、付加情報として記憶するとともに、付加情報レイヤを作成する。
作成されたレイヤ１３は、レイヤ表示制御手段１５で選択され、レイヤに形成された枠、アドレスおよび付加情報を地図画面の動作に連動し、地図画面に重ねて表示する。付加情報レイヤは、複数が設定可能で、通信制御部９から入手する外部から救急患者の受け入れ状況などの病院情報や、風向きや風速などの気象情報などに基づく情報を書込み可能としている。
【００１６】
地図データにはもともとページあるいはメッシュを割り当てられているビットマップ形式のデータと、地図の要素をベクトルデータとして有し、参照時に地図として展開するベクトル形式のものとがあるが、本実施例では入手の容易で自由度の高いベクトル形式の地図データを使用している。ベクトル形式の地図データにはページという概念がない場合もあるが、消防や救急などの分野では、所管の地域を細分化し、区分するのが管理しやすい。また、担当者が持参している印刷された地図帖と１対１の対応がとれるページやメッシュに分割されていることが望ましい。そのため、ページ枠作成手段１０では、図２（ａ）に示すように、まず、所定の地域全体を画面に表示させ、マウスなどの入力手段１で地図の任意の対角２点をヒットするなどして画面を表示専用に最適な、例えば保有している印刷された地図帖のページと同じ大きさに区分し、ページ枠データを生成し地図データに位置づける。ページはさらにメッシュとして例えば図２（ｂ）に示すように縦横４×４のマトリクス状にメッシュ枠作成手段１１で分割作成し、メッシュ枠データを生成して同様に地図データに位置づける。次にアドレス情報設定手段１２で、作成したページ枠、メッシュ枠対応する冊番号、ページ番号、メッシュ番号などのアドレス、および入力手段１から入力されるページ枠やメッシュ枠とともに表示すべき文字情報やシンボル情報などの付加情報を地図管理データとして、記憶部４のデータファイルに登録する。冊とページとメッシュとはこのように階層構造に形成され、ページ枠のサイズを設定すると、予め設定されたマトリクス状のメッシュに分割され、地図データとの座標をあわせるように設定され、地図管理データとしてデータファイルに保存されるとともに、レイヤ１３に展開するためのレイヤデータとして管理される。メッシュはさらに細かいメッシュに細分化される多層構造とすることも可能としている。
なお、レイヤ作成手段１４で入力される付加情報も、地図データに反映され、記憶および処理される。
【００１７】
レイヤ１３には、前述のようにページの境界を識別するためのページ枠を形成するページ枠レイヤ、メッシュの境界を識別するためのメッシュ枠を形成するメッシュ枠レイヤ、冊、ページおよびメッシュを特定するアドレスを表示するためのアドレスレイヤあるいはページやメッシュを特定するための表示すべき名称、地域名、管理区域名、主要建造物名および、またはそれらを特定するシンボル等の識別情報を表示するための付加情報レイヤがあるが、本実施例ではそれぞれ単独で制御可能な以上の４つのレイヤを備えている。
【００１８】
以上のような構成で、図３（ａ１）に示すように住宅用の地図は、（ａ２）に示すような外周のページ枠２０、メッシュ枠２１およびアドレスが割り当てられており、枠の表示が指示される場合には、（ｂ）に示すように地図画面上にページ枠２０、メッシュ枠２１およびアドレス情報が合成されて表示される。画面上部の標題部１７にもアドレスおよび拡大率を表示している。
このように、ページ枠２０、メッシュ枠２１、アドレス情報および付加情報を地図に重畳して表示させ、地図に連動して縮小、拡大およびスクロールさせるようにしたので、表示するメッシュの大きさから拡大率やスケールがわかり、アドレス情報および付加情報から現在表示中の場所の特定がしやすい視認性の良いものとなっている。アドレス情報や付加情報を表示させたので、画面をランダムに拡大、スクロールさせても、常にページやメッシュ、表示の拡大率および、おおよその距離を簡単に視認することができる。
【００１９】
また、画面の下部などに、レイヤの表示制御用のレイヤ制御ウィンド２２を設けているので、枠や文字の表示が不要な場合の表示のオンオフを簡単に選択切換することができる。ウィンドの指定の場所をクリックする毎に、当該レイヤ１３の表示がオンまたはオフする。また、ページ枠２０およびメッシュ枠２１は地図画面の縮小、拡大に連動するが、文字および付加情報は連動を選択可能とするが、サイズの上限、下限を制限している。
【００２０】
表示用のページ枠２０、メッシュ枠２１などの枠はそれぞれの太さ、色、線種を選択可能としており、それぞれ異なるものを選択することで識別しやすくすることができる。また、邪魔にならないように色を目立たないものにすることや、あるいは逆に目立つものに選択してして強調するようにもできる。ページ枠２０とメッシュ枠２１が重なる場合は、上位であるページ枠２０を優先している。
【００２１】
また、地図に重ねて表示するアドレスなどの文字情報やシンボル等の付加情報も、それぞれの大きさ、色、フォント種類等を自由に設定可能としているので、前述のようにアドレスの表示や、地域名、さらには識別用のシンボルなどを目立たない表示や目立つ表示を選択可能としている。アドレスなどの文字情報や付加情報などは、それぞれ特定するページ枠２０やメッシュ枠２１と対応する大きさや色としているので、ページ枠２０を特定する情報かメッシュ枠２１を特定する情報かの識別でき、それぞれに対応する処理をしやすくしている。
【００２２】
また、ページ枠２０、メッシュ枠２１、アドレスおよび付加情報用の各レイヤ１３の表示をオンとし、アドレスやシンボルなどの情報を表示させた状態でページ枠２０、メッシュ枠２１、アドレスおよび付加情報を、マウスなどのポインタでヒットすることで、ページ枠２０、メッシュ枠２１、アドレスおよび付加情報やシンボルで特定されるページまたはメッシュ部分の地図が、画面全体に表示されるようにしている。さらに、アドレスやシンボルや地域名などの付加情報を表示させた状態でページ枠２０、メッシュ枠２１およびアドレスなどの情報部分をマウスなどで選択した状態で出力指示することでページ枠２０、メッシュ枠２１、アドレスおよびシンボルで特定されるページまたはメッシュ部分の地図が、アドレスやシンボルなどの情報とともプリンタなどの出力装置に出力されるようにしている。
【００２３】
表示あるいは出力可能な付加情報は、アドレスの他にページ枠またはメッシュ枠を特定するための地域名、管理区域名および、または主要建造物名や、ページ枠またはメッシュ枠で特定される場所に存在する例えば消火栓、緊急水利および、または病院などを識別するシンボルなどがある。また、通信制御装置により外部から入手する情報に基づく情報を書込み設定可能とし、有用な情報を地図に合成して即座に表示あるいは出力可能としているので、操作性を向上することができる。ページ枠２０、メッシュ枠２１は出力のオンオフを可能としている。
【００２４】
【発明の効果】
本発明は、以上説明したように、地図上の範囲を複数のページに分割し互いに隣接する境界の識別のためのページ枠を作成するページ枠作成手段と、ページを複数のメッシュに分割し互いに隣接する境界の識別のためのメッシュ枠を作成するメッシュ枠作成手段と、ページ枠とメッシュ枠とを特定するためのアドレスを設定するアドレス情報設定手段とを備え、作成したページ枠、メッシュ枠、アドレス、および入力手段から入力するページ枠とメッシュ枠とを特定するための場所名などの付加情報をレイヤとして作成するレイヤ作成手段と、同レイヤを地図画面に合成して表示するためのレイヤ表示制御手段とを設け、レイヤ作成手段で作成したページ枠、メッシュ枠、アドレスおよび付加情報を、レイヤ表示制御手段で前記地図画面に重ねて表示するようにしたので、目標を探す場合に場所の特定がしやすく、視認性や操作性のよい地図表示装置の提案が出来た。
【図面の簡単な説明】
【図１】  本発明よる地図表示装置の実施例の要部ブロック図である。
【図２】  本発明による地図表示装置のレイヤデータ作成の説明図である。
【図３】  本発明による地図表示装置の画面表示の説明図である。
【図４】  従来の一実施例を示す、（ａ）の地図を（ｂ）は右にスクロールさせた地図である。
【符号の説明】
１  入力手段
２  制御部
３  外部記憶部
４  記憶部
５  描画部
６  表示制御部
７  表示部
８  出力装置
９  通信制御部
１０  ページ枠作成手段
１１  メッシュ枠作成手段
１２  アドレス情報設定手段
１３  レイヤ
１４  レイヤ作成手段
１５  レイヤ表示制御手段
１７  標題部
２０  ページ枠
２１  メッシュ枠
２２  レイヤ制御ウィンド
【図１】
0004691751.tif 000002
【図２】
0004691751.tif 000003
【図３】
0004691751.tif 000004
【図４】
0004691751.tif 000005